(57)【要約】【課題】端子をマットシールに貫通させる過程で、マットシールの損傷が発生し難い。【解決手段】複数の端子収容室２ａとマットシール収容室２ｂとを有するコネクタハウジング２と、マットシール収容室２ｂに収容され、複数の電線挿通孔１１ａ〜１１ｆを有するマットシール１０と、マットシール１０を保持するリアホルダ２０と、電線孔２２と電線挿通孔１１ａ〜１１ｆを貫通して端子収容室２ａに収容される複数の端子３０と、マットシール１０の電線挿通孔１１ａ〜１１ｆ内に挿入される複数の電線Ｗとを備え、マットシール１０の各電線挿通孔１１ａ〜１１ｆの位置は、各端子３０の各端子収容室２ａへの収容作業を予め決められた順序で行う場合に、既に電線挿通孔１１ａ〜１１ｆを貫通した電線Ｗによるピッチずれ量を加味した位置に設定されている。【選択図】図３
2020174014.tif 000002
【特許請求の範囲】
【請求項１】
複数の端子収容室と前記各端子収容室に連続する封止部材収容室とを有するコネクタハウジングと、
前記封止部材収容室に収容され、複数の電線挿通孔を有する封止部材と、
前記封止部材収容室の前記封止部材の後面側に収容され、複数の電線孔を有するリアホルダと、
前記リアホルダの前記電線孔と前記封止部材の前記電線挿通孔を貫通して前記端子収容室に収容される複数の端子と、
前記各端子に接続され、前記封止部材の前記電線挿通孔内に密着状態で挿入され、前記リアホルダの前記電線孔より外部に引き出される複数の電線とを備えたコネクタであって、
前記封止部材の前記各電線挿通孔の位置は、前記各端子の前記各端子収容室への収容作業を予め決められた順序で行う場合に、既に前記電線挿通孔を貫通した前記電線によるピッチずれ量を加味した位置に設定されていることを特徴とするコネクタ。
【請求項２】
複数の端子収容室と前記各端子収容室に連続する封止部材収容室とを有するコネクタハウジングと、
前記封止部材収容室に収容され、複数の電線挿通孔を有する封止部材と、
前記封止部材収容室の前記封止部材の後面側に配置され、複数の電線孔を有するリアホルダと、
前記リアホルダの前記電線孔と前記封止部材の前記電線挿通孔を貫通して前記端子収容室に収容される複数の端子と、
前記各端子に接続され、前記封止部材の前記電線挿通孔内に密着状態で挿入され、前記リアホルダの前記電線孔より外部に引き出される複数の電線とを備えたコネクタの組付け方法であって、
前記封止部材の前記各電線挿通孔の位置は、前記各端子の前記各端子収容室への収容作業を予め決められた順序で行う場合に、既に前記電線挿通孔を貫通した前記電線によるピッチずれ量を加味した位置に設定されており、
前記各端子収容室への前記各端子の収容は、予め決められた順序で行うことを特徴とするコネクタの組付け方法。
【発明の詳細な説明】
【技術分野】
【０００１】
本発明は、複数の電線挿通孔を有する封止部材を備えたコネクタ、及び、コネクタの組付け方法に関する。
【背景技術】
【０００２】
従来の封止部材を備えたコネクタ（特許文献１参照）が図５に示されている。図５において、コネクタ５０は、コネクタハウジング５１と封止部材５２とリアホルダ５３とを備えている。
【０００３】
コネクタハウジング５１には、端子収容室５１ａと、端子収容室５１ａに連続する封止部材収容室５１ｂが形成されている。
【０００４】
封止部材５２は、コネクタハウジング５１の封止部材収容室５１ｂに配置されている。封止部材５２は、複数の電線挿通孔５２ａを有する。封止部材５２の各電線挿通孔５２ａは、リアホルダ５３の下記する各電線孔５３ａの同軸上の位置にそれぞれ設定されている。
【０００５】
リアホルダ５３は、封止部材５２と共に封止部材収容室５１ｂに配置されている。リアホルダ５３は、コネクタハウジング５１に装着され、封止部材５２を封止部材収容室５１ｂより離脱しないように保持している。リアホルダ５３は、複数の電線孔５３ａが有する。
【０００６】
電線Ｗ付きの端子６０は、リアホルダ５３の電線孔５３ａを通り、封止部材５２の電線挿通孔５２ａを貫通することでコネクタハウジング５１の端子収容室５１ａに収容される。端子６０に接続された電線Ｗは、電線挿通孔５２ａ内に密着収容される。これにより、リアホルダ５３より外部に導き出された電線Ｗを伝ってコネクタハウジング５１の端子収容室５１ａに水等が入り込むのを防止する。
【０００７】
ところで、電線Ｗ付きの各端子６０は、各端子収容室５１ａに１個ずつ順番に収容される。１番目に収容される、電線Ｗ付きの端子６０は、リアホルダ５３の電線孔５３ａと封止部材５２の電線挿通孔５２ａが同じ軸上に位置して位置ずれがないため、収容作業を封止部材５２の損傷を発生させることなく可能である。
【先行技術文献】
【特許文献】
【０００８】
【特許文献１】特許第５３４７１２８号公報
【発明の概要】
【発明が解決しようとする課題】
【０００９】
しかしながら、２番目以降に収容される、電線Ｗ付きの端子６０では、封止部材５２の電線挿通孔５２ａに既に密着収容された電線Ｗからの押圧力によって、封止部材５２の電線挿通孔５２ａの位置が当初の位置よりずれた位置となる。すると、リアホルダ５３の電線孔５３ａを通った端子６０が封止部材５２の電線挿通孔５２ａの位置に対して位置ずれした位置で挿入されることになり、端子６０の挿入時における封止部材５２のダメージが大きくて損傷する恐れがあるという問題があった。
【００１０】
そこで、本発明は、前記した課題を解決すべくなされたものであり、端子を封止部材に貫通させる過程にあって、封止部材の損傷が発生し難いコネクタ及びコネクタの組付け方法を提供することを目的とする。
【課題を解決するための手段】
【００１１】
本発明のコネクタは、複数の端子収容室と前記各端子収容室に連続する封止部材収容室とを有するコネクタハウジングと、前記封止部材収容室に収容され、複数の電線挿通孔を有する封止部材と、前記封止部材収容室の前記封止部材の後面側に収容され、複数の電線孔を有するリアホルダと、前記リアホルダの前記電線孔と前記封止部材の前記電線挿通孔を貫通して前記端子収容室に収容される複数の端子と、前記各端子に接続され、前記封止部材の前記電線挿通孔内に密着状態で挿入され、前記リアホルダの前記電線孔より外部に引き出される複数の電線とを備えたコネクタであって、前記封止部材の前記各電線挿通孔の位置は、前記各端子の前記各端子収容室への収容作業を予め決められた順序で行う場合に、既に前記電線挿通孔を貫通した前記電線によるピッチずれ量を加味した位置に設定されていることを特徴とする。
【００１２】
本発明のコネクタの組付け方法は、複数の端子収容室と前記各端子収容室に連続する封止部材収容室とを有するコネクタハウジングと、前記封止部材収容室に収容され、複数の電線挿通孔を有する封止部材と、前記封止部材収容室の前記封止部材の後面側に配置され、複数の電線孔を有するリアホルダと、前記リアホルダの前記電線孔と前記封止部材の前記電線挿通孔を貫通して前記端子収容室に収容される複数の端子と、前記各端子に接続され、前記封止部材の前記電線挿通孔内に密着状態で挿入され、前記リアホルダの前記電線孔より外部に引き出される複数の電線とを備えたコネクタの組付け方法であって、前記封止部材の前記各電線挿通孔の位置は、前記各端子の前記各端子収容室への収容作業を予め決められた順序で行う場合に、既に前記電線挿通孔を貫通した前記電線によるピッチずれ量を加味した位置に設定されており、前記各端子収容室への前記各端子の収容は、予め決められた順序で行うことを特徴とする。
【発明の効果】
【００１３】
本発明によれば、予め決められた順番で電線付きの端子を端子収容室に収容すると、次に端子が収容予定の封止部材の電線挿通孔にあっては、その電線挿通孔の位置がリアホルダの対応する電線孔の位置に一致するため、端子を封止部材に貫通させる過程にあって、封止部材の損傷が発生し難い。
【図面の簡単な説明】
【００１４】
【図１】本発明の一実施形態を示し、コネクタの断面図である。
【図２】本発明の一実施形態を示し、マットシールの正面図である。
【図３】本発明の一実施形態を示し、１番目の電線付きの端子を挿入する前のマットシールの要部断面図である。
【図４】本発明の一実施形態を示し、１番目の電線付きの端子を挿入完了したマットシールの要部断面図である。
【図５】従来例を示し、コネクタの断面図である。
【発明を実施するための形態】
【００１５】
以下、本発明の実施形態を図面に基づいて説明する。
【００１６】
図１〜図４には本発明の一実施形態が示されている。図１に示すように、コネクタ１は、コネクタハウジング２と、コネクタハウジング２に収容された封止部材であるマットシール１０と、マットシール１０の後方でマットシール１０を保持するリアホルダ２０と、コネクタハウジング２に装着される、電線Ｗが接続された端子（以下、電線Ｗ付きの端子という）３０とを備えている。
【００１７】
コネクタハウジング２には、複数の端子収容室２ａとこれら端子収容室２ａの電線引出側である後方に配置された封止部材収容室であるマットシール収容室２ｂが形成されている。複数の端子収容室２ａの全ての後端開口は、マットシール収容室２ｂに開口している。
【００１８】
マットシール１０は、マットシール収容室２ｂに収容されている。マットシール１０は、ゴム材等の軟質の弾性材より形成されている。
【００１９】
マットシール１０には、図２に示すように、小径の電線挿通孔１１ａ〜１１ｆと大径の電線挿通孔１２が上下左右に所定の間隔を置いて整列して配置されている。小径の電線挿通孔１１ａ〜１１ｆは、横方向４列×縦方向６列で合計２４個である。大径の電線挿通孔１２ａ、１２ｂは、横方向４列×縦方向２列で合計８個である。電線挿通孔１１ａ〜１１ｆ，１２の各孔位置については、下記する。
【００２０】
マットシール１０の複数の大径の電線挿通孔１２ａ、１２ｂの隣接位置には、リアホルダ２０の位置ずれ防止リブ（図示せず）が挿入されるリブ挿入穴１３が複数形成されている。
【００２１】
リアホルダ２０は、図１に示すように、コネクタハウジング２の後方面よりマットシール収容室２ｂに配置されている。リアホルダ２０には、コネクタハウジング２の各端子収容室２ａに対応する位置に電線孔２２がそれぞれ形成されている。各電線孔２２のセンター軸Ｃ１は、コネクタハウジング２の対応する各端子収容室２ａのセンター軸Ｃ３に一致している。各電線孔２２のセンター軸Ｃ１は、マットシール１０の大径の各電線挿通孔１２のセンター軸（図示せず）に一致している。また、小径の電線孔２２ａのセンター軸Ｃ１は、マットシール１０の対応する各電線挿通孔１１ａのセンター軸Ｃ２に一致しているが、それ以外の小径の電線孔２２ｂ〜２２ｆのセンター軸Ｃ１は、小径の電線挿通孔１１ｂ〜１１ｆのセンター軸Ｃ２に一致していない。つまり、ずれた位置となっている。これについては、下記に詳述する。
【００２２】
端子３０は、所定形状に形成された１枚の導電性の板材を折り曲げ加工することによって形成されている。端子３０は、相手端子（図示せず）が電気的に接続される筒体形状の相手端子接続部３１と、電線Ｗが接続される電線接続部３２とを備えている。
【００２３】
相手端子接続部３１は、相手端子が筒体内の弾性接触部に弾性復帰力で接触することによって相手端子と電気的に接続される。
【００２４】
次に、リアホルダ２０の小径の各電線孔２２と、コネクタハウジング２の小径の各端子収容室２ａとの位置関係、つまり、各センター軸Ｃ１，Ｃ３の関係について説明する。リアホルダ２０の各電線孔２２とコネクタハウジング２の各端子収容室２ａは、そのセンター軸Ｃ１とセンター軸Ｃ３が同一ピッチＰで、且つ、同軸上に配列されている。
【００２５】
次に、マットシール１０の小径の各電線挿通孔１１ａ〜１１ｆの詳細な位置について説明するが、その前提となる電線Ｗ付きの端子３０の端子収容室２ａへの収容作業順序について説明する。
【００２６】
電線Ｗ付きの端子３０の収容作業は、予め決められた順序で行われる。この実施形態では、図２を利用して順番を説明すると、上段の左端から右端に向かって順番に収容作業を行い（図２のａ矢印）、次にその直ぐ下段に移行して同じく左端から右端に向かって順番に収容作業を行い（図２のｂ矢印）、この規則性を繰り返す（図２のｃ矢印、図２のｄ矢印の順）。具体的には、各段の６つの電線挿通孔１１ａ〜１１ｆについて、左端から右端に向かって電線挿通孔１１ａ、電線挿通孔１１ｂ、電線挿通孔１１ｃ、電線挿通孔１１ｄ、電線挿通孔１１ｅ、電線挿通孔１１ｆの順に収容作業が行われる。
【００２７】
マットシール１０の各段の電線挿通孔１１ａ〜１１ｆの位置は、既に電線挿通孔１１ａ〜１１ｆを貫通した電線Ｗによるピッチずれ量を加味した位置（折り込んだ位置）に設定されている。換言すれば、当該電線挿通孔１１ａ〜１１ｆへの収容作業時においてリアホルダ２０の対応する電線孔２２のセンター軸Ｃ１（コネクタハウジング２の対応する端子収容室２ａのセンター軸Ｃ３）の位置に一致するようにピッチずれした位置に設定されている。
【００２８】
つまり、１番目に電線Ｗ付きの端子３０が収容される、左端の電線挿通孔１１ａのセンター軸Ｃ１は、図３に示すように、既に電線挿通孔１１ａ〜１１ｆを貫通した電線Ｗがなく、電線Ｗによるピッチずれ量を加味する必要がないため、リアホルダ２０の対応する電線孔２２のセンター軸Ｃ１（コネクタハウジング２の対応する端子収容室２ａのセンター軸Ｃ３）に一致する位置に設定されている。
【００２９】
２番目に電線Ｗ付きの端子３０が収容される、左から２番目の電線挿通孔１１ｂのセンター軸Ｃ１は、既に電線挿通孔１１ａを貫通した１つの電線Ｗがあり、当該電線Ｗによるピッチずれ量Ｓ１を加味した位置（折り込んだ位置）に設定されている。換言すれば、リアホルダ２０の対応する電線孔２２のセンター軸Ｃ１（コネクタハウジング２の対応する端子収容室２ａのセンター軸Ｃ３）に対しピッチずれ量Ｓ１の位置に設定されている。
【００３０】
３番目に電線Ｗ付きの端子３０が収容される、左から３つ目の電線挿通孔１１ｃのセンター軸Ｃ１は、既に電線挿通孔１１ａ，１１ｂを貫通した２つの電線Ｗがあり、当該２つの電線Ｗによるピッチずれ量Ｓ２を加味した位置（折り込んだ位置）に設定されている。換言すれば、リアホルダ２０の対応する電線孔２２のセンター軸Ｃ１（コネクタハウジング２の対応する端子収容室２ａのセンター軸Ｃ３）に対しピッチずれ量Ｓ２の位置に設定されている。
【００３１】
４番目以降の電線挿通孔１１ｄ〜１１ｆも上記と同様な規則性に従って位置が設定されている。
【００３２】
まとめると、図３に示すように、左端から順に、電線挿通孔１１ａはピッチずれ量なし、電線挿通孔１１ｂはピッチずれ量Ｓ１、電線挿通孔１１ｃはピッチずれ量Ｓ２（Ｓ２>Ｓ１）、電線挿通孔１１ｄはピッチずれ量Ｓ３（Ｓ３>Ｓ２）、電線挿通孔１１ｅはピッチずれ量Ｓ４（Ｓ４>Ｓ３）、電線挿通孔１１ｆはピッチずれ量Ｓ５（Ｓ５>Ｓ４）に設定されている。
【００３３】
尚、上段の電線挿通孔１１ａ〜１１ｆとその直ぐ下段の電線挿通孔１１ａ〜１１ｆのピッチ間隔が広いため、上下方向では既に収容された電線Ｗによるピッチずれがほとんど発生しないものとする。又、大径の電線挿通孔１２については、複数の位置ずれ防止リブ（図示せず）によって、上下方向では既に収容された電線Ｗによるピッチずれがほとんど発生しないものとする。
【００３４】
次に、電線Ｗが接続された端子３０のコネクタ１への挿入作業を説明する。電線Ｗが接続された端子３０を、上記した挿入作業の順番でコネクタハウジング２の後面に開口したマットシール収容室２ｂより挿入する。すると、端子３０がリアホルダ２０の電線孔２２を経てマットシール１０の電線挿通孔１１に入り込む。端子３０がマットシール１０の電線挿通孔１１を貫通する際に、端子３０の相手端子接続部３１が電線挿通孔１１を押し広げながら進み、端子３０が端子収容室２ａに配置される。端子３０が端子収容室２ａに挿入された状態では、端子３０に接続された電線Ｗがマットシール１０の電線挿通孔１１に配置される。
【００３５】
上記した挿入作業過程にあって、１番目の電線Ｗ付きの端子３０を端子収容室２ａに収容する場合には、図３に示すように、電線挿通孔１１ａのセンター軸Ｃ２がリアホルダ２０の対応する電線孔２２のセンター軸Ｃ１が一致している。従って、１番目の電線Ｗ付きの端子３０の挿入作業をマットシール１０の損傷を発生させることなく行うことができる。
【００３６】
１番目の電線Ｗ付きの端子３０の収容作業後では、図４に示すように、電線挿通孔１１ａに貫通した電線Ｗによってピッチずれ量Ｓ１だけ電線挿通孔１１ｂの位置が変位して、電線挿通孔１１ｂのセンター軸Ｃ２がリアホルダ２０の対応する電線孔２２のセンター軸Ｃ１に一致した位置となる。従って、２番目の電線Ｗ付きの端子３０の挿入作業をマットシール１０の損傷を発生させることなく行うことができる。
【００３７】
電線Ｗ付きの端子３０が収容される後に、次の挿入される電線挿通孔１１ｃ〜１１ｆの位置がピッチずれによってリアホルダ２０の対応する電線孔２２の位置に一致するため、全ての電線Ｗ付きの端子３０の挿入作業を、マットシール１０の損傷を発生させることなく行うことができる。
【００３８】
以上説明したように、電線Ｗ付きの端子３０の挿入作業過程にあって、各端子３０のマットシール１０への挿入時には、マットシール１０の各電線挿通孔１１ａ〜１１ｆの位置がリアホルダ２０の対応する電線孔２２の位置に一致することになるため、端子３０をマットシール１０に貫通させる過程にあって、マットシール１０の損傷が発生し難い。
【００３９】
この実施形態では、上段の電線挿通孔１１ａ〜１１ｆとその直ぐ下段の電線挿通孔１１ａ〜１１ｆのピッチ間隔が広いため、上下方向での既に収容された電線Ｗによるピッチずれがほとんどないものとして説明したが、上段の電線挿通孔１１ａ〜１１ｆとその直ぐ下段の電線挿通孔１１ａ〜１１ｆについて、既に電線挿通孔１１ａ〜１１ｆに収容された電線Ｗによるピッチずれが発生する場合には、上記した規則性に従って下段の電線挿通孔１１ａ〜１１ｆの位置を設定する。大径の電線挿通孔１２についても、既に収容された電線Ｗによりピッチずれが発生する場合には、上記した規則性に従って下段の電線挿通孔１１の位置を設定する。
【００４０】
尚、この実施形態では、端子３０の挿入作業の順序を、各段について左端から右端に向かって行っているが、収容作業の順番は、任意に決めることができる。そして、一旦決定した挿入作業の順序に基づいてマットシール１０の各電線挿通孔のピッチずれ量を算出し、ずれ量に応じて各電線挿通孔の位置を決定する。
【符号の説明】
【００４１】
１  コネクタ
２  コネクタハウジング
２ａ  端子収容室
２ｂ  マットシール収容室（封止部材収容室）
１０  マットシール（封止部材）
１１ａ〜１１ｆ、１２  電線挿通孔
２０  リアホルダ
２２  電線孔
３０  端子
【図１】
2020174014.tif 000003
【図２】
2020174014.tif 000004
【図３】
2020174014.tif 000005
【図４】
2020174014.tif 000006
【図５】
2020174014.tif 000007